(57)【特許請求の範囲】
【請求項１】
操作部と、該操作部の操作に応じて受信する番組を予約し、受信部を制御して、予約された番組を受信する処理部とを有する放送受信装置において、
前記処理部は、
複数の放送波から選択された一種類の放送波及び前記一種類の放送波に設けられたチャンネルから選択された一のチャンネルが表示され、表示された前記一種類の放送波と前記一のチャンネルとを入力するための第一の画面と、
番組が放送される一の日付と選択された一の時間帯とが表示され、表示された前記一の日付と前記一の時間帯を設定するための第二の画面と、
前記第一の画面及び前記第二の画面において、前記操作部の操作により入力された前記一種類の放送波、前記一のチャンネル、前記一の日付、前記一の時間帯の番組の一覧が表示される第三の画面と、を表示装置に表示させ、
前記第三の画面において前記操作部の操作により選択された所定の番組を予約し、予約された前記所定の番組が受信されるように前記受信部を制御することを特徴とする放送受信装置。
【請求項２】
予約する番組を設定し、設定された予約番組が受信する放送受信装置の番組予約方法であって、
複数の放送波から選択された一種類の放送波及び前記一種類の放送波に設けられたチャンネルから選択された一のチャンネルが表示され、表示された前記一種類の放送波と前記一のチャンネルとを入力するための第一の画面を表示装置へ表示させる手順と、
番組が放送される一の日付と選択された一の時間帯とが表示され、表示された前記一の日付と前記一の時間帯を設定するための第二の画面を表示装置へ表示させる手順と、
前記第一の画面及び前記第二の画面において、前記操作部の操作により入力された前記一種類の放送波、前記一のチャンネル、前記一の日付、前記一の時間帯の番組の一覧が表示される第三の画面を表示装置に表示させる手順と、
前記第三の画面において前記操作部の操作により選択された所定の番組を予約し、予約された前記所定の番組が受信されるように前記受信部を制御する手順と、を有することを特徴とする番組予約方法。
【請求項３】
コンピュータに、
複数の放送波から選択された一種類の放送波及び前記一種類の放送波に設けられたチャンネルから選択された一のチャンネルが表示され、表示された前記一種類の放送波と前記一のチャンネルとを入力するための第一の画面を表示装置へ表示させるステップと、
番組が放送される一の日付と選択された一の時間帯とが表示され、表示された前記一の日付と前記一の時間帯を設定するための第二の画面を表示装置へ表示させるステップと、
前記第一の画面及び前記第二の画面において、前記操作部の操作により入力された前記一種類の放送波、前記一のチャンネル、前記一の日付、前記一の時間帯の番組の一覧が表示される第三の画面を表示装置に表示させるステップと、
前記第三の画面において前記操作部の操作により選択された所定の番組を予約し、予約された前記所定の番組が受信されるように前記受信部を制御するステップと、を実行させることを特徴とするコンピュータに読み取り可能なプログラム。
【発明の詳細な説明】
【技術分野】
【０００１】
本発明は放送受信装置及び番組予約方法並びに番組予約プログラムに係り、特に、番組予約機能付の放送受信装置及び番組予約方法並びに番組予約プログラムに関する。
【背景技術】
【０００２】
現在、放送受信装置には、番組予約を容易にするために、通常、ＥＰＧ機能が標準的に付いている。しかしながら、ＥＰＧ機能は初心者などには使用し難いため、通常は、雑誌や新聞などを使用して予約を行なっているのが実情である。
【発明の開示】
【発明が解決しようとする課題】
【０００３】
しかるに、従来の放送受信装置のＥＰＧなどの高度な予約方法は初心者にとっては操作性が悪く、使用されていないなどの問題点があった。
【０００４】
本発明は上記の点に鑑みてなされたもので、容易に番組予約が行なえる放送受信装置及び番組予約方法並びに番組予約プログラムを提供することを目的とする。
【課題を解決するための手段】
【０００５】
本発明は、操作部（１２５）と、操作部（１２５）の操作に応じて受信する番組を予約し、受信部（１２１）を制御して、予約された番組を受信する処理部（１２３）とを有する放送受信装置において、処理部（１２３）は、複数の放送波から選択された一種類の放送波及び前記一種類の放送波に設けられたチャンネルから選択された一のチャンネルが表示され、表示された前記一種類の放送波と前記一のチャンネルとを入力するための第一の画面（２３０）と、番組が放送される一の日付と選択された一の時間帯とが表示され、表示された一の日付と一の時間帯を設定するための第二の画面（２４０）と、第一の画面（２３０）及び第二の画面（２４０）において、操作部（１２５）の操作により入力された一種類の放送波、一のチャンネル、一の日付、一の時間帯の番組の一覧が表示される第三の画面（２５０）と、を表示装置に表示させ、第三の画面（２５０）において操作部（１２５）の操作により指定された日時に対応する番組を表示装置（１１３）に一覧表示し、操作部（１２５）の操作により一覧表示された番組から所定の番組が選択され、操作部（１２５）の操作により選択された所定の番組を予約し、予約された所定の番組が受信されるように受信部（１２１）を制御することを特徴とする。
【０００７】
なお、上記参照符号はあくまでも参考であり、これによって、特許請求の範囲が限定されるものではない。
【発明の効果】
【０００８】
本発明によれば、指定された日時に対応する番組を表示装置に一覧表示し一覧表示された番組から所定の番組が選択され、選択された所定の番組を予約し、予約された所定の番組が受信されるようにすることにより、新聞や雑誌などを参照しながら予約を行なうことができ、よって、使用者が直感的に予約を行なうことができるため、容易に番組予約が行なえるなどの特長を有する。
【発明を実施するための最良の形態】
【０００９】
図１は本発明の一実施例のシステム構成図を示す。
【００１０】
本実施例の放送受信システム１００は、アンテナ１１１、放送受信装置１１２、モニタ１１３から構成されている。
【００１１】
アンテナ１１１は、放送受信装置１１２のアンテナポートＰantに接続されており、放送波を受信し、受信した放送波に応じた電気信号を放送受信装置１１２のアンテナポートＰantに発生する。
【００１２】
図２は放送受信装置１１２のブロック構成図を示す。
【００１３】
放送受信装置１１２は、チューナ１２１、入力処理部１２２、ＣＰＵ１２３、フロントパネル１２４、記憶装置１２５、画像処理部１２６、ビデオ増幅部１２７、電源装置１２８から構成されている。
【００１４】
チューナ１２１には、アンテナポートＰantから放送波に応じた電気信号が供給される。チューナ１２１は、ＣＰＵ１２３からの指示に応じたチャンネルの放送の電気信号を選局する。
【００１５】
チューナ１２１で選局された信号は、入力処理部１２２に供給される。入力処理部１２２は、チューナ１２１から供給された信号をＣＰＵ１２３に入力する映像データに変換する。入力処理部１２２で変換された映像データはＣＰＵ１２３に供給される。
【００１６】
ＣＰＵ１２３は、入力処理部１２２から供給された映像データを復調して、画像処理部１２６に供給する。また、ＣＰＵ１２３は、記憶装置１２５に記憶された予約プログラムによりフロントパネル１２４の操作に基づいてチューナ１２１、電源装置１２８を制御して、予約処理を実行するとともに、フロントパネル１２４の操作に応じてチューナ１２１を制御し、選局処理を行なっている。
【００１７】
ＣＰＵ１２３で復調された映像データは、画像処理部１２６に供給される。画像処理部１２６は、ＣＰＵ１２３から映像データをアナログ映像信号に変換する。画像処理部１２６で変換された映像信号は、ビデオ増幅部１２７に供給される。ビデオ増幅部１２７は、画像処理部１２６から供給された映像信号を増幅して、ビデオ出力ポートＰvoutから出力する。
【００１８】
放送受信装置１１２のビデオ出力ポートＰvoutから出力された映像信号は、モニタ１１３に供給される。モニタ１１３は、ＣＲＴ、ＬＣＤ、プラズマディスプレイなどから構成されており、放送受信装置１１２から供給された映像信号に応じた映像を表示する。
【００１９】
〔予約処理〕
次に放送受信装置１１２による予約処理について説明する。
【００２０】
図３は予約処理の処理フローチャートを示す。
【００２１】
ＣＰＵ１２３は、ステップＳ１−１でフロントパネル１２５の操作によりメニュー表示が選択されると、ステップＳ１−２で図４に示すようなメニュー画面が表示される。
【００２２】
図４、図５はメニュー画面の一例を示す図である。
【００２３】
メニュー画面２１０は、選局選択部２１１、番組検索部２１２、番組予約部２１３、設定部２１４から構成されている。
【００２４】
選局選択部２１１は、モニタ１１３に表示する放送波を選局するための画面に移行するためのアイコンである。番組検索部２１２は、モニタ１１３に表示する番組を検索する項目を表示するためのアイコンである。番組予約部２１３は、番組を予約するための方法を選択する項目を表示するためのアイコンである。設定部２１４は、情報設定、機器設定などの各種設定に関する項目を表示するためのアイコンである。
【００２５】
フロントパネル１２４で選択操作により、選局選択部２１１、番組検索部２１２、番組予約部２１３、設定部２１４のいずれかが選択され、フロントパネル１２４で決定操作により決定されると、選択された項目の処理を行なうための画面に移行する。
【００２６】
ＣＰＵ１２３は、ステップＳ１−３で、フロントパネル１２４の操作により番組予約部２１３が選択、決定されると、ステップＳ１−４で図５に示すように番組予約部２１３の下部に第１の番組予約項目２２１、第２の番組予約項目２２２、第３の番組予約項目２２３、第４の番組予約項目２２４を表示する。
【００２７】
第１の番組予約項目２２１は、番組表から番組を選択して予約するための項目である。第２の番組予約項目２２２は、放送波、チャンネル、番組を指定して予約するための項目である。
【００２８】
第３の番組予約項目２２３は、視聴する時間を指定して番組を予約するタイマ予約を行なうための項目である。第４の番組予約項目２２４は、予約一覧を表示するための項目である。
【００２９】
ＣＰＵ１２３は、ステップＳ１−５で第２の番組予約項目２２２を指定すると、ステップＳ１−６で第１の入力画面がモニタ１１３に表示される。
【００３０】
図６は第１の入力画面の一例を示す図である。
【００３１】
第１の入力画面２３０は、放送波、及び、チャンネルを入力するための画面であり、放送種別設定部２３１、チャンネル番号設定部２３２、操作ボタン２３３、２３４、ガイダンス２３５から構成されている。
【００３２】
放送種別設定部２３１は、フロントパネル１２５の操作により「地上波デジタル」、「地上波アナログ」、「衛星デジタル」、「衛星アナログ」など各種放送波を選択、設定するため表示である。図６では「地上波デジタル」が選択されている。
【００３３】
チャンネル番号設定部２３２は、フロントパネル１２５の操作により各放送波に設けられているチャンネルを選択、設定するため表示である。図６ではチャンネル「０１」が選択されている。
【００３４】
操作ボタン２３３は、他の予約方法を行なうために、図４に示す画面に戻る動作を行なうための表示であり、フロントパネル１２５の操作により選択、決定することにより、図４に示す画面に戻る。
【００３５】
操作ボタン２３４は、第２の番組予約を行なうための次のステップに移行する動作を行なうための表示であり、フロントパネル１２５の操作により選択、決定することにより、次にステップの画面が表示される。
【００３６】
ガイダンス２３５は、図６に示す画面で行なうべき操作をガイダンスしており、例えば、「予約する放送の種類とチャンネル番組を入力してください。」という表示が行なわれる。
【００３７】
ＣＰＵ１２３は、ステップＳ１−７でフロントパネル１２５により操作ボタン２３４が選択、決定されると、ステップＳ１−８で第２の入力画面をモニタ１１３に表示する。
【００３８】
図７は第２の入力画面の一例を示す図である。
【００３９】
第２の入力画面２４０は、予約する番組の日時を指定するための画面であり、日付設定部２４１、時間帯設定部２４２、操作ボタン２４３、２４４、ガイダンス２４５から構成されている。
【００４０】
日付設定部２４１は、フロントパネル１２５の操作により、視聴した番組が放送される日付を選択、設定するため表示である。図７では「２１（木）」が選択、設定されている。
【００４１】
時間帯設定部２４２は、フロントパネル１２５の操作により、視聴したい番組が放送される時間帯を選択、設定するための表示である。図７では「０６：００〜１２：００」が選択、設定されている。
【００４２】
操作ボタン２４３は、放送種別、チャンネル番号などを修正するために図６に示す第１の入力画面２３０に戻る操作を行なうための表示であり、フロントパネル１２５の操作により選択、決定することにより、図６に示す第１の入力画面に戻る。
【００４３】
操作ボタン２４４は、第２の番組予約を行なうための次のステップに移行する動作を行なうための表示であり、フロントパネル１２５の操作により選択、決定することにより、次にステップの画面が表示される。
【００４４】
ガイダンス２４５は、図７に示す画面で行なうべき操作をガイダンスしており、例えば、「録画したい番組がある日付と時間帯を選んでください。」という表示が行なわれる。
【００４５】
ＣＰＵ１２３は、ステップＳ１−９でフロントパネル１２５により操作ボタン２４４が選択、決定されると、ステップＳ１−１０で番組設定画面をモニタ１１３に表示する。
【００４６】
図８は番組設定画面の一例を示す図である。
【００４７】
番組設定画面２５０は、予約する番組を選択し、設定するための画面であり、番組表示部２５１、操作ボタン２５２、２５３、２５４、選択情報表示部２５５、選択番組表示部２５６から構成される。
【００４８】
番組表示部２５１は、第１の入力画面２３０及び第２の入力画面２４０で入力された放送波、チャンネル、日時、時間帯の番組の一覧が表示される。番組表示部２５１は、予約有無表示部２６１、放送波・チャンネル表示部２６２、時間帯表示部２６３、番組名表示部２６４から構成されている。
【００４９】
予約有無表示部２６１は、予約の有無を識別するための情報が表示される。図８では、「○」が予約無、「●」が予約有の状態を示している。
【００５０】
放送波・チャンネル表示部２６２は、表示されている番組の放送波の種別及びチャンネルが表示されている。図８では、表示されている番組が地上波デジタル「地上波Ｄ」のチャンネル「０１」である旨表示が行なわれている。
【００５１】
時間帯表示部２６３は、表示されている番組が放送される時間帯が表示されている。番組名表示部２６４は、番組名Ｐ１〜Ｐ６が表示されている。図８では、「０６：００〜０７：００」には、番組名「Ｐ１」が放送され、「０７：００〜０８：００」には、番組名「Ｐ２」が放送され、「０８：００〜０９：００」には、番組名「Ｐ３」が放送され、「０９：００〜１０：００」には、番組名「Ｐ４」が放送され、「１０：００〜１１：００」には、番組名「Ｐ５」が放送され、「１１：００〜１２：００」には、番組名「Ｐ６」が放送される表示となっている。
【００５２】
フロントパネル１２５の操作により予約したい番組を選択し、決定することにより、図８に示すように予約有無表示部２６１の表示が「●」となり、選択番組表示部２５６に予約した番組名が表示される。
【００５３】
操作ボタン２５２は、チャンネルを変更するために第１の入力画面２３０に戻るため操作を行なうためのボタンである。フロントパネル１２５の操作により操作ボタン２５２を選択、決定することにより、図６に示す第１の入力画面に戻り、放送波の種別及びチャンネルの変更が可能となる。
【００５４】
操作ボタン２５３は、日時を変更するために第２の入力画面２４０に戻るため操作を行なうためのボタンである。フロントパネル１２５の操作により操作ボタン２５３を選択、決定することにより、図７に示す第２の入力画面に戻り、日時及び時間帯の変更が可能となる。
【００５５】
操作ボタン２５４は、予約を中止するためのボタンである。フロントパネル１２５の操作により操作ボタン２５４を選択、決定することにより、予約が中止される。
【００５６】
選択情報表示部２５５は、第１の入力画面２３０及び第２の入力画面２４０で入力された放送波、チャンネル、日時、時間帯が表示される。
【００５７】
選択番組表示部２５６は、予約されている番組名が表示される。図８では、番組名「Ｐ４」、「Ｐ５」が予約されている。
【００５８】
ＣＰＵ１２３は、ステップＳ１−１１でフロントパネル１２５の操作により予約したい番組を選択、決定することにより、ステップＳ１−１２で予約された番組の放送波、チャンネル、放送日時などの予約番組に関する情報を記憶装置１２４に記憶する。
【００５９】
〔動作〕
図９は放送受信装置１１２の動作フローチャートを示す。
【００６０】
ＣＰＵ１２３は、ステップＳ２−１で記憶装置１２４に記憶された予約番組の放送日時を参照する。ＣＰＵ１２３は、ステップＳ２−２で内部時計が放送日時になると、ステップＳ２−３で電源装置１２８を制御して、電源を投入し、ステップＳ２−４で予約番組の放送波、チャンネルを受信するようにチューナ１２１を制御し、予約番組を記録装置１２４に録画又はモニタ１１３に表示する。
【００６１】
また、ＣＰＵ１２３は、ステップＳ２−５で予約番組の終了時間になると、ステップＳ２−６で電源装置１２８を制御して、電源を切断する。
【００６２】
以上により、予約番組を視聴又は録画することが可能となる。
【００６３】
〔適用例〕
本実施例の予約処理は、テレビ放送受信装置、チューナ内蔵のテレビジョン受像機、チューナ内蔵のビデオレコーダなどに適用できる。
【００６４】
〔その他〕
なお、本実施例では、フロントパネル１２５により予約操作などを行なったが、リモートコントローラによって、予約操作など各種操作を行なうようにしてもよいことは言うまでもない。
【図面の簡単な説明】
【００６５】
【図１】本発明の一実施例のシステム構成図である。
【図２】放送受信装置１１２のブロック構成図である。
【図３】予約処理の処理フローチャートである。
【図４】メニュー画面の一例を示す図である。
【図５】メニュー画面の一例を示す図である。
【図６】第１の入力画面の一例を示す図である。
【図７】第２の入力画面の一例を示す図である。
【図８】番組設定画面の一例を示す図である。
【図９】放送受信装置１１２の動作フローチャートである。
【符号の説明】
【００６６】
１００  放送受信システム
１１１  アンテナ、１１２  放送受信装置、１１３  モニタ
１２１  チューナ、１２２  入力処理部、１２３  ＣＰＵ、１２４  記憶装置
１２５  フロントパネル、１２６  画像処理部、１２７  ビデオ増幅器
１２８  電源装置
【図１】
0004644057.tif 000002
【図２】
0004644057.tif 000003
【図３】
0004644057.tif 000004
【図４】
0004644057.tif 000005
【図５】
0004644057.tif 000006
【図６】
0004644057.tif 000007
【図７】
0004644057.tif 000008
【図８】
0004644057.tif 000009
【図９】
0004644057.tif 000010